(57)【要約】  通信システムにおいて熱雑音と熱に対する上昇（Ｒｉｓｅ−ｏｖｅｒ−Ｔｈｅｒｍａｌ，ＲｏＴ）を推定する技術を説明する。１つの観点では、側波帯域中の熱雑音密度を測定して、信号帯域中の熱雑音密度を推定するのに使用してもよい。１つの設計では、側波帯域中における受信電力を測定して、例えば、側波帯域内のＦＦＴ変換係数の総電力を計算して、側波帯域中の受信電力を取得する。側波帯中において測定された受信電力に基づいて（例えば、フィルタリングによって）、熱雑音を推定してもよい。信号帯域中において測定された受信電力に基づいて（例えば、フィルタリングによって）、総受信電力を推定してもよい。推定熱雑音と、推定総受信電力とに基づいて、ＲｏＴを推定してもよい。推定ＲｏＴに基づいて、セルに対して利用可能な負荷を推定してもよく、これに基づいて、セル中のユーザをスケジューリングおよび／またはアドミットしてもよい。【選択図】図４
2010527535.tif 000002
【特許請求の範囲】
【請求項１】
通信システム中における熱雑音を推定する方法において、
信号帯域の外側の側波帯域中における受信電力を測定することと、
前記側波帯域中で測定された受信電力に基づいて、熱雑音を推定することと
を含む方法。
【請求項２】
前記側波帯域中における受信電力を測定することは、
それぞれのブロックがＮ個のサンプルを含むブロックへとサンプルを分割することと、
それぞれのブロックのＮ個のサンプルを変換して、対応するブロックのＮ個の変換係数を取得することと、
前記側波帯域内の変換係数の総電力を計算して、前記側波帯域中で測定された受信電力を取得することと
を有し、ここで、Ｎは１より大きい、請求項１記載の方法。
【請求項３】
前記熱雑音を推定することは、
前記側波帯域中で測定された受信電力をフィルタして、推定熱雑音を取得することを有する、請求項１記載の方法。
【請求項４】
前記熱雑音を推定することは、
無限インパルス応答（ＩＩＲ）フィルタで、前記側波帯域中で測定された受信電力をフィルタして、推定熱雑音を取得することを有する、請求項１記載の方法。
【請求項５】
前記熱雑音を推定することは、
予め定められた長さのスライディングウィンドウ上で、前記側波帯域中で測定された受信電力を平均化して、推定熱雑音を取得することを有する、請求項１記載の方法。
【請求項６】
前記信号帯域中における受信電力を測定することと、
前記信号帯域中で測定された受信電力に基づいて、総受信電力を推定することと、
前記推定熱雑音と、前記推定総受信電力とに基づいて、熱に対する上昇（Rise-over-Thermal，ＲｏＴ）を推定することと
をさらに含む、請求項１記載の方法。
【請求項７】
前記信号帯域中における受信電力を測定することは、
それぞれのブロックがＮ個のサンプルを含むブロックへとサンプルを分割することと、
それぞれのブロックのＮ個のサンプルを変換して、対応するブロックのＮ個の変換係数を取得することと、
前記信号帯域内の変換係数の総電力を計算して、前記信号帯域中で測定された受信電力を取得することと
を有し、ここで、Ｎは１より大きい、請求項６記載の方法。
【請求項８】
前記信号帯域中における受信電力を測定することは、
整合フィルタで、それぞれのブロックのＮ個の変換係数をフィルタして、対応するブロックのＮ個のフィルタされた係数を取得することと、
前記信号帯域内のフィルタされた係数の総電力を計算して、前記信号帯域中で測定された受信電力を取得することと
をさらに有する、請求項７記載の方法。
【請求項９】
前記総受信電力を推定することは、
前記信号帯域中で測定された受信電力をフィルタして、前記推定総受信電力を取得することを有する、請求項６記載の方法。
【請求項１０】
前記ＲｏＴを推定することは、
前記推定熱雑音、前記推定総受信電力、前記側波帯域、および前記総受信電力に対する有効な信号帯域に基づいて、前記ＲｏＴを計算することを有する、請求項６記載の方法。
【請求項１１】
前記ＲｏＴを推定することは、
何の信号も適用されないときに予め定められたＲｏＴ値を提供するように、選択された較正係数にさらに基づいて前記ＲｏＴを計算することを有する、請求項１０記載の方法。
【請求項１２】
前記推定ＲｏＴに基づいて、セルに対して利用可能な負荷を推定することと、
前記利用可能な負荷に基づいて、スケジューリングとアドミッション制御を実行することと
をさらに含む、請求項６記載の方法。
【請求項１３】
前記スケジューリングとアドミッション制御を実行することは、
アドミットまたはスケジュールするためのユーザを選択することと、
前記選択されたユーザの負荷を決定することと、
前記選択されたユーザの負荷に基づいて、前記利用可能な負荷を更新することと
を有する、請求項１２記載の方法。
【請求項１４】
アナログ入力信号を増幅させて、アナログデジタルコンバーター（ＡＤＣ）の量子化雑音より高い熱雑音フロアを有する増幅された信号を取得することと、
前記増幅された信号を、前記ＡＤＣでデジタル化して、サンプルを取得することと、
前記サンプルに基づいて、前記側波帯中における受信電力を測定することと
をさらに含む、請求項１記載の方法。
【請求項１５】
ネットワーク制御装置に対して、前記推定熱雑音、前記推定ＲｏＴ、または、両方をレポートすることをさらに含む、請求項６記載の方法。
【請求項１６】
隣接ＣＤＭＡチャネルの間の周波数スペーシングに基づいて、前記側波帯域のロケーションが選択される、請求項１記載の方法。
【請求項１７】
前記推定熱雑音に基づいて、熱に対する干渉（Interference-over-thermal，ＩｏＴ）を推定することをさらに含む、請求項１記載の方法。
【請求項１８】
前記側波帯域はガードサブキャリアを含み、前記信号帯域は複数のサブキャリアのうちの使用可能なサブキャリアを含む、請求項１記載の方法。
【請求項１９】
ワイヤレス通信のための装置において、
信号帯域の外側の側波帯域中における受信電力を測定し、
前記側波帯域中で測定された受信電力に基づいて、熱雑音を推定する
少なくとも１つのプロセッサを具備する装置。
【請求項２０】
前記少なくとも１つのプロセッサは、
それぞれのブロックがＮ個のサンプルを含むブロックへとサンプルを分割し、
それぞれのブロックのＮ個のサンプルを変換して、対応するブロックのＮ個の変換係数を取得し、
前記側波帯域内の変換係数の総電力を計算して、前記側波帯域中で測定された受信電力を取得し、
ここで、Ｎは１より大きい、請求項１９記載の装置。
【請求項２１】
前記少なくとも１つのプロセッサは、
前記側波帯域中で測定された受信電力をフィルタして、推定熱雑音を取得する、請求項１９記載の装置。
【請求項２２】
前記少なくとも１つのプロセッサは、
前記信号帯域中における受信電力を測定し、
前記信号帯域中で測定された受信電力に基づいて、総受信電力を推定し、
前記推定熱雑音と、前記推定総受信電力とに基づいて、熱に対する上昇（ＲｏＴ）を推定する、請求項１９記載の装置。
【請求項２３】
前記少なくとも１つのプロセッサは、
それぞれのブロックがＮ個のサンプルを含むブロックへとサンプルを分割し、
それぞれのブロックのＮ個のサンプルを変換して、対応するブロックのＮ個の変換係数を取得し、
前記信号帯域内の変換係数の総電力を計算して、前記信号帯域中で測定された受信電力を取得し、
ここで、Ｎは１より大きい、請求項２２記載の装置。
【請求項２４】
前記少なくとも１つのプロセッサは、
前記推定ＲｏＴに基づいて、セルに対して利用可能な負荷を推定し、
前記利用可能な負荷に基づいて、スケジューリングとアドミッション制御を実行する、請求項２２記載の装置。
【請求項２５】
装置において、
信号帯域の外側の側波帯域中における受信電力を測定する手段と、
前記側波帯域中で測定された受信電力に基づいて、熱雑音を推定する手段と
を具備する装置。
【請求項２６】
前記側波帯域中における受信電力を測定する手段は、
それぞれのブロックがＮ個のサンプルを含むブロックへとサンプルを分割する手段と、
それぞれのブロックのＮ個のサンプルを変換して、対応するブロックのＮ個の変換係数を取得する手段と、
前記側波帯域内の変換係数の総電力を計算して、前記側波帯域中で測定された受信電力を取得する手段と
を備え、ここで、Ｎは１より大きい、請求項２５記載の装置。
【請求項２７】
前記熱雑音を推定する手段は、
前記側波帯域中で測定された受信電力をフィルタして、推定熱雑音を取得する手段を備える、請求項２５記載の装置。
【請求項２８】
前記信号帯域中における受信電力を測定する手段と、
前記信号帯域中で測定された受信電力に基づいて、総受信電力を推定する手段と、
前記推定熱雑音と、前記推定総受信電力とに基づいて、熱に対する上昇（ＲｏＴ）を推定する手段と
をさらに具備する、請求項２５記載の装置。
【請求項２９】
前記信号帯域中における受信電力を測定する手段は、
それぞれのブロックがＮ個のサンプルを含むブロックへとサンプルを分割する手段と、
それぞれのブロックのＮ個のサンプルを変換して、対応するブロックのＮ個の変換係数を取得する手段と、
前記信号帯域内の変換係数の総電力を計算して、前記信号帯域中で測定された受信電力を取得する手段と
を備え、ここで、Ｎは１より大きい、請求項２８記載の装置。
【請求項３０】
前記推定ＲｏＴに基づいて、セルに対して利用可能な負荷を推定する手段と、
前記利用可能な負荷に基づいて、スケジューリングとアドミッション制御を実行する手段と
をさらに具備する、請求項２８記載の装置。
【請求項３１】
コンピュータ読取可能媒体を有するコンピュータプログラムプロダクトにおいて、
前記コンピュータ読取可能媒体は、
少なくとも１つのコンピュータに、信号帯域の外側の側波帯域中における受信電力を、測定させるコードと、
前記少なくとも１つのコンピュータに、前記側波帯域中で測定された受信電力に基づいて、熱雑音を推定させるコードと
を含むコンピュータプログラムプロダクト。
【請求項３２】
前記コンピュータ読取可能媒体は、
前記少なくとも１つのコンピュータに、それぞれのブロックがＮ個のサンプルを含むブロックへとサンプルを分割させるコードと、
前記少なくとも１つのコンピュータに、それぞれのブロックのＮ個のサンプルを変換させて、対応するブロックのＮ個の変換係数を取得させるコードと、
前記少なくとも１つのコンピュータに、前記側波帯域内の変換係数の総電力を計算させて、前記側波帯域中で測定された受信電力を取得させるコードと
をさらに含み、ここで、Ｎは１より大きい、請求項３１記載のコンピュータプログラムプロダクト。
【請求項３３】
前記コンピュータ読取可能媒体は、
前記少なくとも１つのコンピュータに、前記側波帯域中で測定された受信電力をフィルタさせて、推定熱雑音を取得させるコードをさらに含む、請求項３１記載のコンピュータプログラムプロダクト。
【請求項３４】
前記コンピュータ読取可能媒体は、
前記少なくとも１つのコンピュータに、前記信号帯域中における受信電力を測定させるコードと、
前記少なくとも１つのコンピュータに、前記信号帯域中で測定された受信電力に基づいて、総受信電力を推定させるコードと、
前記少なくとも１つのコンピュータに、前記推定熱雑音と、前記推定総受信電力とに基づいて、熱に対する上昇（ＲｏＴ）を推定させるコードと
をさらに含む、請求項３１記載のコンピュータプログラムプロダクト。
【請求項３５】
前記コンピュータ読取可能媒体は、
前記少なくとも１つのコンピュータに、それぞれのブロックがＮ個のサンプルを含むブロックへとサンプルを分割させるコードと、
前記少なくとも１つのコンピュータに、それぞれのブロックのＮ個のサンプルを変換させて、対応するブロックのＮ個の変換係数を取得させるコードと、
前記少なくとも１つのコンピュータに、前記信号帯域内の変換係数の総電力を計算させて、前記信号帯域中で測定された受信電力を取得させるコードと
をさらに含み、ここで、Ｎは１より大きい、請求項３４記載のコンピュータプログラムプロダクト。
【請求項３６】
前記コンピュータ読取可能媒体は、
前記少なくとも１つのコンピュータに、前記推定ＲｏＴに基づいて、セルに対して利用可能な負荷を推定させるコードと、
前記少なくとも１つのコンピュータに、前記利用可能な負荷に基づいて、スケジューリングとアドミッション制御を実行させるコードと
をさらに含む、請求項３４記載のコンピュータプログラムプロダクト。
【発明の詳細な説明】
【米国法第３５部第１１９条に基づく優先権の主張】
【０００１】
本出願は、２００７年４月２４日に出願され、“Ｗ−ＣＤＭＡ中の熱に対する上昇（Rise-over-Thermal，ＲｏＴ）を推定する方法”と題された、米国仮出願第６０／９１３，７７８号に対する優先権を主張し、これは、本出願譲受人に譲渡され、ここで参照により明示的に組み込まれている。
【分野】
【０００２】
本開示は、一般的に通信に関連し、より詳細には、ワイヤレス通信システムにおいて、熱雑音と熱に対する上昇（ＲｏＴ）を推定する技術に関連する。
【背景】
【０００３】
ワイヤレス通信システムは、音声、ビデオ、パケットデータ、メッセージング、ブロードキャスト等のようなさまざまな通信サービスを提供するように広く配備されている。このようなシステムは、利用可能なシステムリソースを共有することによって、複数のユーザをサポートすることができるマルチプルアクセスシステムであってもよい。このような多重アクセスシステムの例は、コード分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および単一キャリアＦＤＭＡ（ＳＣ−ＦＤＭＡ）システムを含む。
【０００４】
ＣＤＭＡ通信システムにおいて、複数のユーザ装置（ＵＥ）は、現在、アップリンク上でノードＢに対して送信していてもよい。それぞれのＵＥからの送信は、ノードＢにおける他のＵＥからの送信に対する干渉として動作する。所定のＵＥの受信信号品質は、ＵＥによって使用される送信電力の量、ＵＥからのノードＢに対するパス損失、ノードＢにおいてＵＥによって観測された干渉の量のような、さまざまな要因に依拠している。ＵＥがそれらの送信電力を増加させるとき、および／または、より多くのＵＥが追加されるとき、ノードＢにおける総干渉が増加する。いくつかのポイントにおいて、ＵＥは、それらの送信電力をさらに増加させることができず、これ以上ＵＥを追加できない。このように、システムの容量は、アップリンク上で干渉によって制限されている。
【０００５】
ＲｏＴは、セルにおける熱雑音に対する、総雑音および干渉の比である。ＲｏＴは、アップリンク上での負荷の基本的測定である。システムの不安定性を避けるために、アップリンク負荷をターゲットレベル以下に維持するように、ＲｏＴを正確に推定することが望ましいだろう。
【概要】
【０００６】
通信システムにおいて熱雑音とＲｏＴを推定する技術をここで説明する。１つの観点では、熱雑音は、隣接周波数チャネルの間の側波帯域中で推定されてもよい。熱雑音密度が、周波数にわたって一定であるとして仮定してもよい。側波帯域中の熱雑音密度を測定して、信号帯域中の熱雑音密度の推定として使用してもよい。
【０００７】
１つの設計では、側波帯域中における受信電力を測定してもよく、例えば、サンプルのブロックを周波数ドメインに変換して、変換係数のブロックを取得し、次に、側波帯域内の変換係数の総電力を計算して、側波帯域中の受信電力を取得する。側波帯中において測定された受信電力に基づいて（例えば、これをフィルタリングすることによって）、熱雑音を推定してもよい。例えば、整合フィルタで変換係数のそれぞれのブロックをフィルタリングし、そして、信号帯域内のフィルタされた係数の総電力を計算することによって、信号帯域における受信電力もまた測定して、信号帯域中の受信電力を取得してもよい。信号帯域中において測定された受信電力に基づいて（例えば、これをフィルタリングすることによって）、総受信電力を推定してもよい。次に、推定熱雑音と、推定総受信電力とに基づいて、ＲｏＴを推定してもよい。
【０００８】
１つの設計では、推定ＲｏＴに基づいて、セルに対して利用可能な負荷を推定してもよい。利用可能な負荷に基づいて、スケジューリングおよび／またはアドミッション制御を実行してもよい。１つの設計では、アドミットまたはスケジュールするユーザを選択してもよく、選択されたユーザの負荷を決定してもよく、選択されたユーザの負荷に基づいて、利用可能な負荷を更新してもよい。
【０００９】
本開示のさまざまな観点と特徴を、以下でさらに詳細に説明する。
【図面の簡単な説明】
【００１０】
【図１】図１は、ワイヤレス通信システムを示す。
【図２】図２は、正規化セルのスループット対アップリンク上でのＲｏＴのグラフを示す。
【図３】図３は、周波数帯域中の複数のＣＤＭＡチャネルを示す。
【図４】図４は、熱雑音とＲｏＴを推定できる受信機を示す。
【図５Ａ】図５Ａは、無線周波数（ＲＦ）信号のダウンコンバートとサンプリングを示す。
【図５Ｂ】図５Ｂは、アナログデジタルコンバータ（ＡＤＣ）からのデジタル化信号を示す。
【図６】図６は、熱雑音とＲｏＴを推定するプロセスを示す。
【図７】図７は、ノードＢとＵＥとのブロック図を示す。
【詳細な説明】
【００１１】
ここで説明する技術は、ＣＤＭＡ、ＴＤＭＡ、ＦＤＭＡ、ＯＦＤＭＡ、および、ＳＣ−ＦＤＭＡシステムのようなさまざまなワイヤレス通信システムに対して使用されてもよい。用語“システム”および“ネットワーク”を相互交換可能に使用することが多い。ＣＤＭＡシステムは、ユニバーサル地上無線アクセス（ＵＴＲＡ）、ｃｄｍａ２０００等のような無線技術を実現してもよい。ＵＴＲＡは、広帯域ＣＤＭＡ（ＷＣＤＭＡ）と、他のＣＤＭＡ変形とを含む。ｃｄｍａ２０００は、ＩＳ−２０００、ＩＳ−９５、およびＩＳ−８５６標準規格をカバーする。ＴＤＭＡシステムは、移動体通信のためのグローバルシステム（ＧＳＭ）のような無線技術を実現してもよい。ＯＦＤＭＡシステムは、進化ＵＴＲＡ（Ｅ−ＵＴＲＡ）、ウルトラ移動体ブロードバンド（ＵＭＢ）、ＩＥＥＥ８０２．２０、ＩＥＥＥ８０２．１６（ＷｉＭＡＸ）、ＩＥＥＥ８０２．１１（ＷｉＦｉ）、フラッシュＯＦＤＭ（登録商標）等のような無線技術を実現してもよい。ＵＴＲＡとＥ−ＵＴＲＡは、ユニバーサル移動体電気通信システム（ＵＭＴＳ）の一部である。３ＧＰＰ長期間発展（ＬＴＥ）は、Ｅ−ＵＴＲＡを利用するＵＭＴＳの次に来るリリースである。ＵＴＲＡ、Ｅ−ＵＴＲＡ、ＵＭＴＳ、ＬＴＥ、およびＧＳＭは、“第３世代パートナーシッププロジェクト”（３ＧＰＰ）と称される組織からの文書に説明されている。ｃｄｍａ２０００およびＵＭＢは、“第３世代パートナーシッププロジェクト２”（３ＧＰＰ２）と称される組織からの文書に説明されている。
【００１２】
明瞭さのために、技術のある観点を、ＵＭＴＳに関して以下で説明し、以下の説明のほとんどにおいて、ＵＭＴＳ用語を使用する。用語“ＣＤＭＡ”は、一般的に、任意のＣＤＭＡの変種（例えば、ＷＣＤＭＡ、ｃｄｍａ２０００）を指し、用語“ＷＣＤＭＡ”は、３ＧＰＰによって規定されるＣＤＭＡの特定の変種を指す。
【００１３】
図１は、ワイヤレス通信システム１００を示し、これは、ＵＭＴＳ中のユニバーサル地上無線アクセスネットワーク（ＵＴＲＡＮ）であってもよい。システム１００は、複数のノードＢ１１０を含む。ノードＢは、ＵＥと通信する固定局であり、進化ノードＢ（ｅＮＢ）、基地局、アクセスポイント等として参照されてもよい。それぞれのノードＢ１１０は、特定の地理的エリア１０２に対する通信カバレッジを提供し、カバレッジエリア内に位置するＵＥに対する通信をサポートする。ノードＢのカバレッジエリアは、複数の（例えば、３つの）より小さいエリアへと分割されてもよく、それぞれのより小さいエリアは、それぞれのノードＢサブシステムによって担当されてもよい。用語“セル”は、その中で用語が使用される文脈に依拠して、ノードＢの最も小さいカバレッジエリア、および／または、このカバレッジエリアを担当するノードＢサブシステムを指してもよい。いくつかのシステムでは、用語“セクター”は、このカバレッジエリアを担当している、基地局および／または基地局サブシステムの最も小さいカバレッジエリアを指してもよい。明瞭さのために、以下の説明において、ＵＭＴＳにおけるセルの概念を使用する。
【００１４】
ネットワーク制御装置１３０は、ノードＢ１１０に結合されていてもよく、これらのノードＢに対する調整と制御を提供する。ネットワーク制御装置１３０は、単一のネットワークエンティティであってもよく、または、ネットワークエンティティの集合体であってもよい。例えば、ネットワーク制御装置１３０は、ＵＭＴＳにおける無線ネットワーク制御装置（ＲＮＣ）であってもよい。
【００１５】
ＵＥ１２０は、システム全体にわたって拡散していてもよく、それぞれのＵＥは、据え置き、または、移動体であってもよい。ＵＥを、移動局、端末、アクセス端末、移動体装置、加入者ユニット、ステーション等としても呼ぶこともある。ＵＥは、セルラ電話機、パーソナルデジタルアシスタント（ＰＤＡ）、ワイヤレス通信デバイス、手持ちデバイス、ワイヤレスモデム、ラップトップコンピュータ等であってもよい。ＵＥは、ダウンリンクおよびアップリンク上での送信を介して、ノードＢと通信してもよい。ダウンリンク（すなわち、フォワードリンク）は、ノードＢからＵＥへの通信リンクを指し、アップリンク（すなわち、リバースリンク）は、ＵＥからノードＢへの通信リンクを指す。明瞭さのために、図１は、ＵＥ１２０からノードＢ１１０へのアップリンク送信だけを示した。図１において、単一の矢印を有する実線は、担当セルに対する送信を示し、単一の矢印を有する破線は、非担当セルに対する送信を示す。用語“ＵＥ”と“ユーザ”は、ここで、相互交換可能に使用する。
【００１６】
図１に示したように、それぞれのセルは、そのセルによって担当されているユーザからの送信とともに、そのセルによって担当されていないユーザからの送信も受信してもよい。それぞれのセルにおいて観測される総干渉は、（１）そのセル内のユーザからのセル内干渉、（２）他のセル中のユーザからのセル間の干渉からなっている。以下に説明するように、セル内干渉とセル間干渉は、性能における大きな影響を持っていてもよく、ユーザをスケジュールする際に考慮に入れられてもよい。
【００１７】
システム１００中のアップリンクにおいて、それぞれのユーザからの送信が、担当セルにおける他のユーザからの送信に対する干渉として働く。したがって、新しいユーザがアップリンク上でスケジュールされるときはいつも、このユーザからの送信は、他のユーザに対する干渉を増加させることになる。新しいユーザによって引き起こされる干渉の量は、ユーザによって使用される送信電力の量、ユーザからセルに対するパス損失等のようなさまざまな要因に依拠している。ユーザが追加されるとき、他のアクティブユーザは、彼らの送信電力を増加させる必要があるかもしれず、セルにおける総干渉は増加するかもしれない。いくつかのポイントにおいて、アップリンク上でシステムが干渉制限されているため、これ以上ユーザを追加できないかもしれない。
【００１８】
図２は、正規化セルのスループット対アップリンクに対するＲｏＴのグラフを示す。正規化セルのスループットは、アップリンク上のすべてのユーザの総スループットを、最大総スループットにより割り算したものである。図２に示したように、セルのスループットは、低いＲｏＴにおいてより大きい割合で増加し、より高いＲｏＴにおいて，漸近的に最大値に到達する。
【００１９】
セルにおいて、正確にＲｏＴを推定／測定することが望ましいかもしれない。推定されたＲｏＴを使用して、セル中のユーザをアドミットおよび／またはスケジュールしてもよく、セルがターゲットＲｏＴにおいて動作することを確実にしてもよい。セルのＲｏＴは、以下のように表現されてもよい。
【数１】
2010527535.tif 000003
【００２０】
ここで、Ｉ0は、セルによって観測された、総雑音と干渉であり、  
Ｎ0は、セルによって観測された熱雑音である。
【００２１】
数式（１）に示したように、ＲｏＴの正確な推定は、Ｉ0の正確な推定と、Ｎ0の正確な推定とともに取得されてもよい。以下に説明するように、総雑音と干渉Ｉ0は、セルにおいて受信された総電力に基づいて推定されてもよい。熱雑音Ｎ0は、どのユーザもアップリンク上で送信しない、無信号間隔の間に推定されてもよい。次にＮ0は、無信号間隔の間にセルにおいて総受信電力に基づいて推定されてもよい。しかしながら、このような無信号間隔は、いくつかのシステムでは利用可能でないかもしれない。例えば、それぞれのセルのタイミングが他のセルのタイミングと非同期式であってもよい、非同期式システムでは、無信号間隔を得るのは困難かもしれない。
【００２２】
１つの観点では、熱雑音Ｎ0は、隣接ＣＤＭＡチャネルの間の側波帯域中で推定されてもよい。側波帯域はまた、ガード帯域、阻止帯等として呼んでもよい。熱雑音密度は、単一帯域と側波帯域とにわたって、一定であるとして仮定してもよい。次に、側波帯域中の熱雑音密度が、測定され、側波帯域中の熱雑音密度の推定として使用されてもよい。
【００２３】
図３は、ある周波数帯域中の、Ｍ個のＣＤＭＡチャネル上のＭ個のＣＤＭＡ信号の例を示し、ここで、Ｍは、任意の整数値であってもよい。ＣＤＭＡチャネルはまた、ＵＭＴＳチャネル、周波数チャネル、キャリア等としても呼ばれてもよい。Ｍ個のＣＤＭＡ信号は、ｆch1からｆchMの周波数を中心としていてもよく、これは、ネットワークオペレータによって選択されてもよい。それぞれのＣＤＭＡ信号は、片方だけの帯域、ｆBWを有し、システムによって使用されるチップレートに基づいて決定されてもよい。隣接ＣＤＭＡチャネルは、ｆspによってスペースを空けられてもよく、ここで一般的に、ｆsp＞２ｆBWである。ＷＣＤＭＡに対して、チップレートは、３．８４メガチップ／秒（Ｍｃｐｓ）であり、ＷＣＤＭＡ信号は、両側の帯域、２ｆBW＝３．８４を有する。隣接ＷＣＤＭＡチャネルの間のスペーシングは、通常は、５．０ＭＨｚであってもよいが、４．８ＭＨｚに近くてもよい。
【００２４】
ＷＣＤＭＡ信号は、スペクトル出力マスクに準拠する出力電力を有することを要求される。スペクトル出力マスクは、ＷＣＤＭＡ信号レベルが、キャリア周波数から、２．５ＭＨｚオフセットにおいて、少なくとも３５デシベル（ｄＢ）だけ下がることを要求し、より大きい周波数オフセットにおいて、３５ｄＢ以上下がることを要求する。ＷＣＤＭＡに対する出力要求は、“ユーザ装置（ＵＥ）無線送受信（ＦＤＤ）”と題され、公共に利用可能な、３ＧＰＰ ＴＳ ２５．１０１で提供されている。
【００２５】
図４は、熱雑音とＲｏＴを推定することができる受信機４００の設計のブロック図を示す。受信機４００は、ノードＢの一部であってもよく、または、他の何らかのエンティティであってもよい。受信機４００内で、アンテナ４１２は、ＵＥからアップリンク信号を受信し、ＲＦフロントエンドユニット４１４に対して、受信ＲＦ信号を提供する。ＲＦフロントエンドユニット４１４内で、受信ＲＦ信号は、低雑音増幅器（ＬＮＡ）によって増幅されてもよく、バンドパスフィルタによってフィルタされてもよく、ミキサーによってダウンコンバートされてもよい。１つの設計では、ＲＦフロントエンドユニット４１４は、ＤＣにおける、または、ＤＣ付近の所望のＣＤＭＡ信号を含むダウンコンバートされた信号を提供する。別の設計では、ＲＦフロントエンドユニット４１４は、中間周波数（ＩＦ）における所望のＣＤＭＡ信号を含むダウンコンバートされた信号を提供する。一般的に、所望のＣＤＭＡ信号は、引き続いての処理に適している任意の周波数にダウンコンバートされてもよい。
【００２６】
増幅器（Ａｍｐ）４１６は、ＲＦフロントエンドユニット４１４からのダウンコンバートされた信号を、Ｇの利得で増幅し、増幅され、ダウンコンバートされた信号を提供する。利得Ｇは、増幅された信号の熱雑音フロアが、後続するＡＤＣ４１８の量子化雑音より高くなるように、選択されてもよい。
【００２７】
ＡＤＣ４１８は、増幅され、ダウンコンバートされた信号をデジタル化し、ｆsampのサンプリングレートでサンプルを提供し、ここで、一般的に、ｆsamp ＞ ２ｆBWである。ＡＤＣ４１８は、所望のＣＤＭＡ信号をオーバーサンプルしてもよく、これは、ＤＣにおける、または、ＤＣ付近のものであってもよい。ＡＤＣ４１８はまた、所望のＣＤＭＡ信号をアンダーサンプルしてもよく、これは、ＩＦにおけるものであってもよく、アンダーサンプリングによって、低い周波数にエイリアスされてもよい。何れのケースでも、サンプルは、０からｆsampの周波数範囲内の所望のＣＤＭＡ信号を含む。
【００２８】
図５Ａは、受信機４００による、ダウンコンバートとＩＦサンプリングの設計を示す。ＲＦフロントエンドユニット４１４に提供される、受信ＲＦ信号は、ｆchの周波数を中心とする、所望のＣＤＭＡ信号を含む。この設計では、ＲＦフロントエンドユニット４１４は、受信ＲＦ信号を、ＲＦからＩＦにダウンコンバートしてもよく、ｆIFの周波数を中心とする、所望のＣＤＭＡ信号を含む、ダウンコンバートされた信号を提供してもよい。ＡＤＣ４１８は、ダウンコンバートされた信号を、ｆsampのサンプリングレートで、デジタル化してもよい。所望のＣＤＭＡ信号は、アンダーサンプルされてもよく、これは、次に、所望のＣＤＭＡ信号のイメージが、＋−（ｆIF−ｆsamp）と＋−（ｆsamp−ｆIF）との周波数において現れることに帰結してもよい。例えば、ＩＦ周波数は、ｆIF＝７０ＭＨｚであってもよく、サンプリングレートは、ｆsamp＝１６チップレート、または、６１．４４メガサンプル／秒（Ｍｓｐｓ）であってもよく、また、ＣＤＭＡ信号イメージは、＋−８．５６ ＭＨｚ と ＋−５２．８８ ＭＨｚであってもよい。
【００２９】
図５Ｂは、１つの設計にしたがった、ＡＤＣ４１８からのデジタル化信号の図を示す。この設計では、デジタル化信号は、ｆcの周波数を中心とする、所望のＣＤＭＡ信号を含む。中心周波数ｆcは、ＲＦフロントエンドユニット４１４によるダウンコンバートと、ＡＤＣ４１８のサンプリングレートに依拠している。ＣＤＭＡ信号の信号帯域は、２ｆsigの幅を有し、周波数ｆc−ｆsigから、周波数ｆc＋ｆsigである。片側の信号帯域ｆsigは、ＣＤＭＡ信号の片側の帯域ｆBWより少なくてもよく、ｆBWに等しくてもよく、ｆBWより大きくてもよく、信号特性に基づいて、選択されてもよい。１つの設計では、信号帯域２ｆsigは、整合フィルタリング後の総受信電力の予め定められたパーセンテージ（例えば、９９％）をキャプチャする帯域として選択されてもよい。
【００３０】
図５Ａおよび５Ｂに示したように、中央周波数がＤＣでないとき、側波帯域は、右の側波帯域部分（すなわち、右側）と、左の側波帯域部分（すなわち、左側）とを含んでもよい。右の側波帯域部分は、ｆsideの幅を有し、周波数ｆc＋ｆsigから、周波数ｆc＋ｆsig＋ｆsideのものである。左の側波帯域部分は、ｆsideの幅を有し、周波数ｆc−ｆsigから、周波数ｆc−ｆsig−ｆsideのものである。それぞれの側波帯域部分の幅は、ＣＤＭＡチャネルおよび／または他の係数の間のスペーシングに基づいて選択されてもよい。
【００３１】
図５Ｂに示した設計では、ＣＤＭＡ信号は、正の周波数を中心とする。別の設計では、ＣＤＭＡ信号は、ＤＣ、または、ｆc＝０Ｈｚを中心とする。この設計では、信号帯域は、ＤＣからｆsigであってもよく、側波帯域は、ｆsigからｆsig＋ｆsideであってもよい。信号帯域と側波帯域はまた、他の周波数範囲もカバーしてもよい。
【００３２】
戻って図４を参照すると、その量子化雑音が、熱雑音フロアを下回るように、そして、その動的範囲が、最大の予測受信信号に対して十分であるように、ＡＤＣ４１８が選択されてもよい。１つの設計では、ＡＤＣ４１８は、受信機入力が取り除かれるときに、３２のターゲット変数を有し、これは、量子化のために使用されている５ビットに対応する。１つの設計では、１３ｄＢまたはそれ以上の動的範囲が、４つ以上の追加的ビットとともに取り扱われてもよい。このようにして、ＡＤＣ４１８は、９またはそれ以上のビットを有してもよい。ＡＤＣ４１８に対して、他のビット幅もまた使用してもよい。
【００３３】
高速フーリエ変換（ＦＦＴ）ユニット４２０は、ＡＤＣ４１８からのサンプルをブロックに分割する。１つの設計では、それぞれのブロックは、Ｎ個の連続するサンプルを含み、ブロックは、オーバーラップしていない。別の設計では、ブロックはオーバーラップしており、それぞれのブロックは、以前のブロックからのいくつかのサンプルとともに、新しいサンプルを含む。何れのケースにおいても、Ｎは、２の累乗であってもよく、８１９２または他の何らかの値に等しくてもよい。ＦＦＴユニット４２０は、それぞれのブロックのＮ個のサンプルに対してＮポイントＦＦＴを実行し、対応するブロックのＮ変換係数を、第１のプロセッシングパス４３０と、第２のプロセッシングパス４４０とに提供する。パス４３０は、信号帯域中で、総受信電力を計算する。パス４４０は、側波帯域中の熱雑音を計算する。
【００３４】
第１のプロセッシングパス４３０内で、整合フィルタ４３２は、それぞれのブロックのＮ個の変換係数をフィルタし、対応するブロックのＮ個のフィルタされた係数を提供する。整合フィルタ４３２は、ユーザからのアップリンク信号を処理するためのデータパス中で使用されるのと同じ整合フィルタであってもよい。電力計算ユニット４３４は、それぞれのブロックに対する信号帯域中の総電力を以下のように計算する。
【数２】
2010527535.tif 000004
【００３５】
ここで、Ｙm（ｋ）は、ブロックｍ中の周波数ビンｋに対する変換係数であり、
Ｈ（ｋ）は、周波数ビンｋに対する整合フィルタ４３２の利得であり、
Ｐsig（ｍ）は、ブロックｍに対する信号帯域電力である。
【００３６】
数式（２）において、Ｙm（ｋ）・Ｈ（ｋ）は、整合フィルタ４３２からの周波数ビンｋに対するフィルタされた係数である。数式（２）は、ｆc−ｆsigからｆc＋ｆsigの信号帯域内の、フィルタされた係数の平方の大きさを合計して、ブロックに対する信号帯域電力を取得する。
【００３７】
１つの設計では、フィルタ４３６は、以下のように、無限インパルス応答（ＩＩＲ）フィルタで信号帯域電力をフィルタする。
【数３】
2010527535.tif 000005
【００３８】
ここで、αsigは、平均化の量を決定するＩＩＲ係数であり、
Ｐ〜sig（ｍ）は、ブロックｍに対するフィルタされた信号帯域電力である。
【００３９】
ＩＩＲ係数αsigは、信号帯域電力に対する所望の量の平均化に基づいて、選択されてもよい。１つの設計では、それぞれのブロックは、ＷＣＤＭＡにおける０．２スロット、すなわち、０．１３３ミリ秒（ｍｓ）をカバーし、ＩＩＲ係数は、αsig＝１／１２８として選択され、およそ２５スロットの時間定数を取得してもよい。ＩＩＲ係数に対して、他の値も使用してもよい。フィルタリングはまた、有限インパルス応答（ＦＩＲ）フィルタ、ムービング平均フィルタ等で実行されてもよい。何れのケースでも、フィルタ４３６は、それぞれのブロックに対する、フィルタされた信号帯域電力を、総受信電力として、ＲｏＴ計算ユニット４５０に対して提供する。
【００４０】
第２のプロセッシングパス４４０内で、側波帯域選択器４４２は、それぞれのブロック中で、Ｎ個の変換係数を受信し、側波帯域内で変換係数を提供し、残っている変換係数を破棄する。信号帯域の外側の熱雑音が減衰されないように、整合フィルタは、第２のプロセッシングパス４４０には含まれない。
【００４１】
１つの設計では、電力計算ユニット４４４は、それぞれのブロックに対する側波帯域中の総電力を以下のように計算する。
【数４】
2010527535.tif 000006
【００４２】
ここで、Ｐside（ｍ）は、ブロックｍに対する側波帯域電力である。
【００４３】
数式（４）において、左の合計は、ｆc−ｆsig−ｆsideからｆc−ｆsig＋１の、左の側波帯域部分内の変換係数の平方マグニチュードを合計する。右の合計は、ｆc＋ｆsig＋１からｆc＋ｆsig＋ｆsideの、右の側波帯域部分内の変換係数の平方マグニチュードを合計する。側波帯域電力は、左右の側波帯域部分に対する総電力の合計に等しい。
【００４４】
１つの設計では、フィルタ４４６は、以下のように、ＩＩＲフィルタで側波帯域電力をフィルタする。
【数５】
2010527535.tif 000007
【００４５】
ここで、αsideは、平均化の量を決定するＩＩＲ係数であり、  
Ｐ〜side（ｍ）は、ブロックｍに対するフィルタされた側波帯域電力である。
【００４６】
ＩＩＲ係数αsideは、側波帯域電力に対する平均化の所望の量に基づいて選択されてもよい。熱雑音電力は、信号電力よりもより遅く変化するので、αsideは、αsigより小さくてもよい。１つの設計では、αsideは、以下のように選択されてもよい。
【数６】
2010527535.tif 000008
【００４７】
ｆside＜＜ｆsigである場合、αsideは、非常に小さい値であってもよく、ＩＩＲフィルタは、十分な精度の演算で実現されてもよい。
【００４８】
別の設計では、フィルタ４４６は、以下のように、長さＬのウィンドウに渡って側波帯域電力のムービング平均を計算する。
【数７】
2010527535.tif 000009
【００４９】
ウィンドウの長さＬは、以下のように選択されてもよい。
【数８】
2010527535.tif 000010
【００５０】
フィルタ４４６はまた、ＦＩＲフィルタで、または他の何らかの方法で、側波帯域電力をフィルタしてもよい。何れのケースにおいても、フィルタ４４６は、それぞれのブロックに対するフィルタされた側波帯域電力を、熱雑音として、ＲｏＴ計算ユニット４５０に提供する。
【００５１】
ユニット４５０は、フィルタ４３６からの、それぞれのブロックに対する総受信電力Ｐ〜sig（ｍ）と、フィルタ４４６からの、それぞれのブロックに対する熱雑音Ｐ〜side（ｍ）を受信する。１つの設計では、ユニット４５０は、以下のようにＲｏＴを計算する。
【数９】
2010527535.tif 000011
【００５２】
ここで、Ｋcalは、較正係数であり、ｆsig,effは、整合フィルタ４３２の有効信号帯域幅である。
【００５３】
有効信号帯域幅を、以下のように表現してもよい。
【数１０】
2010527535.tif 000012
【００５４】
ここで、Ｈ（ｋ）は、パス帯域が１．０の大きさを有するように正規化されるとして仮定される。
【００５５】
数式（９）において、総受信電力は、ｆsig,effによって割られて、受信電力密度を取得し、熱雑音電力は、２ｆsideによって割られて、熱雑音密度を取得する。同様な意味合いで、側波帯域からの熱雑音電力Ｐ〜side（ｍ）は、割合ｆsig,eff／２ｆsideによってスケールされて、信号帯域に対する熱雑音電力を取得してもよい。何れのケースにおいても、ｆsig,effと２ｆsideによるスケーリングは、分子と分母の両方において、同じ単位の量を使用して、ＲｏＴが計算されることを確実にする。アンテナ入力に対して何の受信信号も適用されないとき、較正の間に、ＲｏＴが、０ｄＢに正規化されるように、較正係数Ｋcalが選択されてもよい。
【００５６】
１つの設計では、サンプリングレートは、１６倍チップレート（すなわち、ｃｈｉｐｘ１６）であり、ｆsamp＝１６×３．８４＝６１．４４ＭＨｚとして与えられる。ＡＤＣ４１８からのサンプル上で、８１９２−ポイントＦＦＴが実行され、周波数ビンのスペーシングは、７．５ＫＨｚである。信号帯域は、ｆsig＝２．４ＭＨｚであり、これは、３２０周波数ビンに対応する。側波帯域は、２．４と２．５ＭＨｚの間であり、または、ｆside＝０．１ＭＨｚであり、これは、１３周波数ビンに対応する。信号帯域と、側波帯域はまた、上で与えられた値よりも小さいまたは大きい、他の幅で規定されてもよい。所望のＣＤＭＡ信号がｆcではなく、ＤＣを中心としている場合、信号帯域と、側波帯域はまた、異なるように規定されてもよい。
【００５７】
数式（９）からの推定ＲｏＴを、スケジューリング、アドミッション制御、および／または、他の目的のために使用してもよく、セルの総負荷を以下のように表現してもよい。
【数１１】
2010527535.tif 000013
【００５８】
ここで、Ｌin-cellは、セルによって担当されているユーザの負荷であり、Ｌns,ASは、セルによって担当されていないが、彼らのアクティブセット中にセルを有するユーザの負荷であり、Ｌoutは、他のセル中の、彼らのアクティブセット中のセルを有していないユーザの負荷であり、Ｌtotal-cellは、セルの総負荷である。Ｌoutは、他のセル中のユーザからの干渉に対応する。
【００５９】
総セル負荷は、推定ＲｏＴに関して、以下のように表現されてもよい。
【数１２】
2010527535.tif 000014
【００６０】
セルは、ユーザから受信されたアップリンク信号に基づいて、Ｌin-cellとＬns,ASとを推定してもよい。セルは、推定ＲｏＴに基づいて、Ｌtotal-cellを計算してもよく、次にＬin-cell、Ｌns,AS、およびＬtotal-cellに基づいて、Ｌoutを計算してもよい。セルは、Ｌin-cell、Ｌns,AS、およびＬoutをフィルタして、対応するフィルタされた負荷Ｌ〜in-cell、Ｌ〜ns,AS、およびＬ〜outをそれぞれ取得してもよい。
【００６１】
セルは、ターゲットＲｏＴに基づいて、以下のようにターゲット総負荷を計算してもよい。
【数１３】
2010527535.tif 000015
【００６２】
ここで、Ｌtotal,targetは、セルに対するターゲット総負荷であり、  
ＲｏＴ＿ｔａｒｇｅｔは、セルに対するターゲットＲｏＴである。
【００６３】
セルは、以下のように、セルに対する利用可能な負荷を計算してもよい。
【数１４】
2010527535.tif 000016
【００６４】
ここで、Ｌavail-cellは、セルに対して利用可能な負荷である。
【００６５】
セルは、利用可能な負荷に基づいて、新しいユーザをアドミットしてもよく、ユーザをスケジュールしてもよい。アドミットされている、または、スケジュールされている所定のユーザｉに対して、ユーザｉによる負荷は、以下のように計算されてもよい。
【数１５】
2010527535.tif 000017
【００６６】
ここで、（Ｅc）iは、ユーザｉに対する総エネルギー毎チップであり、  
（Ｅc／Ｎt）iは、ユーザｉに対する総エネルギー毎チップ対総雑音の割合であり、  
Ｌiは、ユーザｉの負荷である。
【００６７】
ユーザｉに対する総エネルギー毎チップ対総雑音の割合は、以下のように表現してもよい。
【数１６】
2010527535.tif 000018
【００６８】
ここで、Ｅcpは、パイロットに対するエネルギー毎チップであり、  
Ｅcは、データ、オーバーヘッド、および、パイロットに対する総エネルギー毎チップであり、  
Ｎtは、セルによって観測される総雑音と干渉であり、  
（Ｅcp／Ｎt）iは、ユーザｉに対するパイロットエネルギー毎チップ対総雑音の割合であり、  
Ｏ２Ｐiは、ユーザｉに対するオーバーヘッド対パイロットの割合であり、  
Ｔ２Ｐiは、ユーザｉに対するトラフィック対パイロットの割合である。
【００６９】
（Ｅcp／Ｎt）iは、アップリンク上でユーザｉによって送信されたパイロットに基づいて、推定されてもよい。ユーザｉは、Ｏ２Ｐiによって決定された電力レベルにおいて、オーバーヘッド、またはシグナリングを送信してもよく、Ｔ２Ｐiによって決定された電力レベルにおいて、データを送信してもよい。Ｏ２Ｐiは、シグナリング電力レベル対パイロット電力レベルの割合であり、固定値であってもよい。Ｔ２Ｐiはデータ電力レベル対パイロット電力レベルの割合であり、ユーザｉに割り当てられるデータレートに依拠していてもよい。パイロット電力レベルは、電力制御を介して調整されて、所望のレベルの性能、例えば、ターゲットブロックエラーレート（ＢＬＥＲ）を達成してもよい。割合Ｏ２ＰiとＴ２Ｐiは、知られていてもよく、ユーザｉに対して決定されてもよい。ユーザｉに対する（Ｅc／Ｎt）iは、推定（Ｅcp／Ｎt）i、および、知られているＯ２ＰiとＴ２Ｐiに基づいて計算されてもよい。
【００７０】
セルに対する利用可能な負荷を更新して、以下のように、ユーザｉのアドミッションまたはスケジューリングを反映させてもよい。
【数１７】
2010527535.tif 000019
【００７１】
同様な方法で、セルに対する、すべての利用可能な負荷が使用されるまで、追加的なユーザをアドミットしてもよく、および／または、スケジュールしてもよい。利用可能な負荷に基づいたユーザのスケジューリングは、“ワイヤレス通信システム中における熱に対する上昇に基づいたスケジューリング”と題され、２００８年２月１４日に出願され、共通して割り当てられた米国特許出願シリアル第１２／０３１，２４５号に詳細に説明されている。推定されたＲｏＴを使用した、スケジューリングとアドミッション制御はまた、他の方法で実行されてもよい。
【００７２】
ここで説明した技術は、特定の利点を提供する。熱雑音の正確な推定は、ＲｏＴの正確な推定を提供してもよく、これは、外側の負荷Ｌoutのより正確な推定の導出を可能にしてもよく、このことは、代わりに、そのセルに対する利用可能な負荷Ｌavail_cellのより正確な推定の導出を可能にする。より正確なＬavail_cellは、セルがターゲット総負荷Ｌtotal,targetにより近く動作することを可能にしてもよく、このことは容量を改善してもよい。より正確なＬavail_cellはまた、セルが、依然として安定性を確保しながら、より高いターゲット負荷において動作することを可能にしてもよい。
【００７３】
明瞭さのために、ＣＤＭＡシステムにおいて熱雑音を推定し、ＲｏＴを計算するための技術の特定の観点を説明した。一般的に、任意のワイヤレス通信システム、ワイヤライン通信システム等において、この技術を使用して、熱雑音を推定してもよい。推定熱雑音を使用して、さまざまなメトリクスを計算してもよい。例えば、推定熱雑音を使用して、ＯＦＤＭＡシステムまたはＳＣ−ＦＤＭＡシステム中で、熱に対する干渉（Interference-over-thermal，ＩｏＴ）を計算してもよい。ＯＦＤＭＡシステムまたはＳＣ−ＦＤＭＡシステムは、Ｋ個の総サブキャリアを含んでもよく、使用可能なＫ個の総サブキャリアのサブセットと、残りのサブキャリアは、ガードサブキャリアとして働いてもよく、使用されない。（ｉ）上に説明したように、キャリアの間の側波帯域中の受信電力や、（ｉｉ）ガードサブキャリアの受信電力や、または、（ｉｉｉ）通信に対して使用されていない周波数範囲に対する受信電力に基づいて、熱雑音を推定してもよい。
【００７４】
図６は、通信システムにおいて、熱雑音とＲｏＴを推定するためのプロセス６００の設計を示す。プロセス６００は、ノードＢまたは他の何らかのエンティティによって実行されてもよい。信号帯域の外側の側波帯域中の受信電力を測定してもよい（ブロック６１２）。隣接ＣＤＭＡチャネルの間の周波数スペーシング、および／または、他の係数に基づいて、側波帯域のロケーションを選択してもよい。ブロック６１２の１つの設計では、ＡＤＣからのサンプルを、Ｎ個のサンプルブロックに分けてもよく、それぞれのブロックのＮ個のサンプルを（例えば、Ｎ−ポイントＦＦＴで）変換して、対応するブロックのＮ個の変換係数を取得してもよい。側波帯域内の変換係数の総電力を計算して、側波帯域中の受信電力を取得してもよい。側波帯域中の受信電力を、他の方法で測定してもよい。
【００７５】
側波帯域中で測定された受信電力に基づいて、熱雑音を推定してもよい（ブロック６１４）。ブロック６１４の１つの設計では、側波帯域中で測定された受信電力は、（例えば、ＩＩＲフィルタ、または、ムービング平均フィルタで）フィルタされて、推定熱雑音を取得してもよい。
【００７６】
信号帯域中で受信電力を測定してもよい（ブロック６１６）。ブロック６１６の１つの設計において、それぞれのブロックのＮ個の変換係数は、整合フィルタでフィルタされて、対応するブロックのＮ個のフィルタされた係数を取得してもよい。信号帯域内のフィルタされた係数の総電力を計算して、信号帯域中の受信電力を取得してもよい。信号帯域中の受信電力を、他の方法で測定してもよい。
【００７７】
信号帯域中で測定された受信電力に基づいて、総受信電力を推定してもよい（ブロック６１８）。ブロック６１８の１つの設計では、信号帯域中の測定された受信電力を（例えば、ＩＩＲフィルタで）フィルタしてもよく、推定総受信電力を取得してもよい。
【００７８】
推定された熱雑音と、推定された総受信電力とに基づいて、ＲｏＴを推定してもよい（ブロック６２０）。１つの設計では、推定熱雑音、推定総受信電力、側波帯域、総受信電力に対する有効信号帯域、および、例えば、数式（９）に示したように、較正係数に基づいて、ＲｏＴを計算してもよい。何の信号も適用されないときに、予め定められたＲｏＴ値を提供するように、較正係数を選択してもよい。
【００７９】
例えば、例えば、数式（１２）に示したように、推定されたＲｏＴに基づいて、セルに対して利用可能な負荷を推定してもよい（ブロック６２２）。利用可能なセル負荷に基づいて、スケジューリングおよび／またはアドミッション制御を実行してもよい（ブロック６２４）。ブロック６２４の１つの設計では、例えば、数式（１５）に示したように、アドミットすべき、または、スケジュールすべきユーザを選択してもよく、選択されたユーザの負荷を決定してもよい。次に、例えば、数式（１７）に示したように、選択されたユーザの負荷に基づいて、利用可能なセル負荷を更新してもよい。利用可能なセル負荷を使用して、他の方法で、スケジューリングおよび／またはアドミッション制御してもよい。推定熱雑音、推定ＲｏＴ、および／または、他の情報もまた、ノードＢによって、ネットワーク制御装置に対して提供されてもよい。
【００８０】
図７は、ノードＢ１１０とＵＥ１２０の設計のブロック図を示し、これは、図１のシステム１００中の、ノードＢのうちの１つと、ＵＥのうちの１つとである。ＵＥ１２０において、送信（ＴＸ）データプロセッサ７１４は、データ源７１２からトラフィックデータを受け取り、制御装置／プロセッサ７２０からの情報を制御する。ＴＸデータプロセッサ７１４は、データおよび制御情報を処理（例えば、エンコード、およびシンボルマップ）して、（例えば、ＣＤＭＡに対して）変調を実行して、出力チップを提供する。送信機（ＴＭＴＲ）７１６は、出力チップを調整し（例えば、アナログに変換し、フィルタし、増幅し、およびアップコンバートし）、アップリンク信号を生成させ、これは、アンテナ７１８経由で送信される。
【００８１】
ノードＢ１１０において、アンテナ７５２は、ＵＥ１２０と他のＵＥからアップリンク信号を受信し、受信ＲＦ信号を受信機（ＲＣＶＲ）７５４に提供する。受信機７５４は、受信ＲＦ信号を調整およびデジタル化し、サンプルを提供する。受信機７５４は、図４中のＲＦフロントエンドユニット４１４、増幅器４１６、およびＡＤＣ４１８を含んでもよい。受信（ＲＸ）データプロセッサ７５６は、（例えば、ＣＤＭＡに対する）サンプル上に復調を実行し、結果となるシンボルを復調およびデコードして、デコードされたデータと制御情報を取得する。プロセッサ７５６は、デコードされたデータをデータシンク７５８に提供し、デコードされた制御情報を、制御装置／プロセッサ７６０に提供する。プロセッサ７５６および／または７６０は、図４中のユニット４２０から４５０を含んでもよい。
【００８２】
ダウンリンク上で、ノードＢ１１０におけるＴＸデータプロセッサ７７４は、ダウンリンク上での送信に対してスケジュールされているＵＥに対するデータ源７７２からのトラフィックデータと、制御装置／プロセッサ７６０からの制御情報を受け取る。データと制御情報は、ＴＸデータプロセッサ７７４によって処理され（例えば、エンコードされ、シンボルマップされ、および変調され）、送信機７７６によってさらに調整されて、ダウンリンク信号を生成し、この信号はアンテナ７５２経由で送信される。ＵＥ１２０において、ノードＢ１１０からのダウンリンク信号が、アンテナ７１８によって受信され、受信機７３２によって調整され、ＲＸデータプロセッサ７３４によって復調およびデコードされる。
【００８３】
制御装置／プロセッサ７２０および７６０は、ＵＥ１２０、ノードＢ１１０における動作をそれぞれ指示する。制御装置／プロセッサ７６０は、図６におけるプロセス６００、および／または、ここで説明した技術に対する他のプロセスを実行または指示してもよい。メモリ７２２と７６２は、プログラムコードとデータをそれぞれＵＥ１２０、ノードＢ１１０に対して記憶する。スケジューラ７６４は、ダウンリンクおよび／またはアップリンク上でのデータ送信のためにＵＥをスケジュールしてもよく、スケジュールされたＵＥに対してリソースを割り当ててもよい。スケジューラ７６４は、上に説明した推定ＲｏＴを使用してスケジューリングを実行してもよい。
【００８４】
当業者は、さまざまな異なる技術および技法を使用して情報および信号を表してもよいことを理解するだろう。例えば、上の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００８５】
ここで開示した実施形態に関連して述べられた、さまざまな例示的な論理ブロック、モジュール、回路およびアルゴリズムステップが、電子ハードウェア、コンピュータソフトウェア、あるいは双方の組み合わせたものとして実現されてもよいことを当業者はさらに正しく認識するであろう。ハードウェアおよびソフトウェアの交換可能性を明確に図示するために、さまざまな例示的なコンポーネント、ブロック、モジュール、回路およびステップを一般的にこれらの機能に関して上述した。このような機能がハードウェアあるいはソフトウェアとして実現されるか否かは、特定の応用および全体的なシステムに課せられた設計の制約に依存する。当業者は、それぞれの特定の応用に対して方法を変化させて、述べてきた機能を実現してもよいが、このような実現決定は、本発明の範囲からの逸脱を生じさせるものとして解釈すべきではない。
【００８６】
ここで開示した実施形態に関連して述べた、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで述べてきた機能を実施するために設計されたこれらの組み合わせで、実現されるか、あるいは、実施されてもよい。汎用プロセッサはマイクロプロセッサであってもよいが、代替実施形態では、プロセッサは、何らかの従来のプロセッサ、制御装置、マイクロ制御装置、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【００８７】
ここで開示した実施形態と関連して述べた方法またはアルゴリズムのステップは、直接、ハードウェアで、プロセッサにより実行されるソフトウェアモジュールで、あるいは、２つの組み合わせで具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化されてもよい。プロセッサおよび記憶媒体は、ＡＳＩＣに存在してもよい。ＡＳＩＣはユーザ端末に存在してもよい。代替実施形態では、プロセッサおよび記憶媒体は、ユーザ端末中のディスクリートコンポーネントとして存在してもよい。
【００８８】
１つ以上の例示的な設計において、説明した機能を、ハードウェアや、ソフトウェアや、ファームウェアや、または、これらの任意の組み合わせによって実現してもよい。ソフトウェアで実現される場合、機能を、コンピュータ読取可能媒体中の１つ以上の命令またはコードとして記憶させてもよく、あるいは、コンピュータ読取可能媒体上で送信してもよい。コンピュータ読取可能媒体は、コンピュータ記憶媒体と、ある場所から別の場所へのコンピュータプログラムの転送を容易にさせる任意の媒体を含む通信媒体との両方を含む。記憶媒体は、コンピュータによってアクセスされることができる任意の利用可能な媒体であってもよい。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。また、任意の接続は、厳密にコンピュータ読取可能媒体として呼ばれる。例えば、ソフトウェアが、ウェブサイト、サーバ、または、他の遠隔源から、同軸ケーブル、光ファイバーケーブル、撚線対、デジタル加入者回線（ＤＳＬ）、または、赤外線、無線、マイクロウェーブのようなワイヤレス技術を使用して送られる場合、同軸ケーブル、光ファイバーケーブル、撚線対、ＤＳＬ、または、赤外線、無線、マイクロウェーブのようなワイヤレス技術は、媒体の定義に含まれるものとする。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。上記のものの組み合わせがまた、コンピュータ読取可能媒体の範囲内に含まれるだろう。
【００８９】
開示した実施形態のこれまでの記述は、当業者が本発明を製作または使用できるように提供した。これらの実施形態に対するさまざま改良は当業者に容易に明らかとなり、ここに定義された一般的な原理は、本発明の精神および範囲を逸脱することなく、他の実施形態に適用されてもよい。したがって、本発明はここに示された実施形態に限定されることを意図しているものではなく、ここで開示されている原理および新しい特徴と一致した最も広い範囲に一致させるべきである。
【図１】
2010527535.tif 000020
【図２】
2010527535.tif 000021
【図３】
2010527535.tif 000022
【図４】
2010527535.tif 000023
【図５Ａ】
2010527535.tif 000024
【図５Ｂ】
2010527535.tif 000025
【図６】
2010527535.tif 000026
【図７】
2010527535.tif 000027
【国際調査報告】
2010527535.tif 000028
2010527535.tif 000029